【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
操作手段を介した操作者からの指示に従い、情報を設定する設定する設定手段を有した装置であって、
印刷対象の画像データに情報が含まれているか判断する判断手段と、
前記判断手段によって情報が含まれていると判断され、かつ、前記設定手段によって情報が設定されている場合に、
前記印刷対象の画像データに含まれている情報と、前記設定されている情報とから、前記印刷対象の画像データに合成される合成用画像データを生成する生成手段と、
前記生成手段によって生成された合成用画像データと、前記印刷対象の画像データとを合成する合成手段と、
前記合成手段での合成結果を印刷する印刷手段と、
を有したことを特徴とする装置。
【請求項２】
前記生成手段によって生成された合成用画像データと、前記印刷対象の画像データとが前記合成手段で合成される前に、前記印刷対象の画像データはフォーマット変換されることを特徴とする請求項１に記載の装置。
【請求項３】
コンピュータから送信されてきた印刷対象の画像データを印刷することができ、さらに、強制モードと非強制モードを設定できる装置であって、
前記強制モードが設定されている場合には、前記装置における操作手段を介した操作者からの指示に従い設定されている情報から、前記印刷対象の画像データに合成される合成用画像データを生成し、当該生成された合成用画像データと前記印刷対象の画像データとを合成し、合成結果を印刷し、
前記非強制モードが設定されている場合には、前記印刷対象の画像データと共に前記コンピュータか送信されてきた情報から、前記印刷対象の画像データに合成される合成用画像データを生成し、当該生成された合成用画像データと前記印刷対象の画像データとを合成し、合成結果を印刷することを特徴とする装置。
【請求項４】
前記生成された画像データと、前記印刷対象のデータとが合成される前に、前記印刷対象の画像データはフォーマット変換されることを特徴とする請求項３に記載の装置。
【請求項５】
操作手段を介した操作者からの指示に従い、情報を設定する設定する設定手段を有した装置の処理方法であって、
印刷対象の画像データに情報が含まれているか判断する判断工程と、
前記判断工程で情報が含まれていると判断され、かつ、前記設定手段によって情報が設定されている場合に、
前記印刷対象の画像データに含まれている情報と、前記設定されている情報とから、前記印刷対象の画像データに合成される合成用画像データを生成する生成工程と、
前記生成工程で生成された合成用画像データと、前記印刷対象の画像データとを合成する合成工程と、
前記合成工程での合成結果を印刷する印刷工程と、
を有したことを特徴とする処理方法。
【請求項６】
コンピュータから送信されてきた印刷対象の画像データを印刷することができ、さらに、強制モードと非強制モードを設定できる装置の処理方法であって、
前記強制モードが設定されている場合には、前記装置における操作手段を介した操作者からの指示に従い設定されている情報から、前記印刷対象の画像データに合成される合成用画像データを生成し、当該生成された合成用画像データと前記印刷対象の画像データとを合成し、合成結果を印刷し、
前記非強制モードが設定されている場合には、前記印刷対象の画像データと共に前記コンピュータか送信されてきた情報から、前記印刷対象の画像データに合成される合成用画像データを生成し、当該生成された合成用画像データと前記印刷対象の画像データとを合成し、合成結果を印刷することを特徴とする処理方法。
【請求項７】
装置に読み込まれることにより、当該装置に請求項５または６に記載の処理方法を実行させることを特徴とするプログラム。
【手続補正２】
【補正対象書類名】明細書
【補正対象項目名】００１２
【補正方法】変更
【補正の内容】
【００１２】
そのために本発明では、操作手段を介した操作者からの指示に従い、情報を設定する設定する設定手段を有した装置であって、印刷対象の画像データに情報が含まれているか判断する判断手段と、前記判断手段によって情報が含まれていると判断され、かつ、前記設定手段によって情報が設定されている場合に、前記印刷対象の画像データに含まれている情報と、前記設定されている情報とから、前記印刷対象の画像データに合成される合成用画像データを生成する生成手段と、前記生成手段によって生成された合成用画像データと、前記印刷対象の画像データとを合成する合成手段と、前記合成手段での合成結果を印刷する印刷手段と、を有したことを特徴とする。
【手続補正３】
【補正対象書類名】明細書
【補正対象項目名】００１３
【補正方法】変更
【補正の内容】
【００１３】
また、コンピュータから送信されてきた印刷対象の画像データを印刷することができ、さらに、強制モードと非強制モードを設定できる装置であって、前記強制モードが設定されている場合には、前記装置における操作手段を介した操作者からの指示に従い設定されている情報から、前記印刷対象の画像データに合成される合成用画像データを生成し、当該生成された合成用画像データと前記印刷対象の画像データとを合成し、合成結果を印刷し、前記非強制モードが設定されている場合には、前記印刷対象の画像データと共に前記コンピュータか送信されてきた情報から、前記印刷対象の画像データに合成される合成用画像データを生成し、当該生成された合成用画像データと前記印刷対象の画像データとを合成し、合成結果を印刷することを特徴とする。
【手続補正４】
【補正対象書類名】明細書
【補正対象項目名】００１４
【補正方法】変更
【補正の内容】
【００１４】
また、操作手段を介した操作者からの指示に従い、情報を設定する設定する設定手段を有した装置の処理方法であって、印刷対象の画像データに情報が含まれているか判断する判断工程と、前記判断工程で情報が含まれていると判断され、かつ、前記設定手段によって情報が設定されている場合に、前記印刷対象の画像データに含まれている情報と、前記設定されている情報とから、前記印刷対象の画像データに合成される合成用画像データを生成する生成工程と、前記生成工程で生成された合成用画像データと、前記印刷対象の画像データとを合成する合成工程と、前記合成工程での合成結果を印刷する印刷工程と、を有したことを特徴とする。
【手続補正５】
【補正対象書類名】明細書
【補正対象項目名】００１５
【補正方法】変更
【補正の内容】
【００１５】
また、コンピュータから送信されてきた印刷対象の画像データを印刷することができ、さらに、強制モードと非強制モードを設定できる装置の処理方法であって、前記強制モードが設定されている場合には、前記装置における操作手段を介した操作者からの指示に従い設定されている情報から、前記印刷対象の画像データに合成される合成用画像データを生成し、当該生成された合成用画像データと前記印刷対象の画像データとを合成し、合成結果を印刷し、前記非強制モードが設定されている場合には、前記印刷対象の画像データと共に前記コンピュータか送信されてきた情報から、前記印刷対象の画像データに合成される合成用画像データを生成し、当該生成された合成用画像データと前記印刷対象の画像データとを合成し、合成結果を印刷することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】